(57)【要約】【課題】媒体製作制御システムを提供する。【解決手段】媒体製作制御システムは、組み込み式の取材と事実確認ツールを有し、多くのソースからの各種形式のニュース供給源を受信し、携帯に便利で、低価格であるという長所がある。このシステムは、製作者に、独立した供給源を選択、及び、排列させて、放送、或いは、制限つきの放送を可能にし、システムのソフト、或いは、外部の連接装置により実行する。共用のコミュニケーションツールは、ウェブブラウザ、インスタントメッセージングパッケージ、チャットルーム、ヘッドラインディスプレイ、及び、バーチャルホワイトボードを含む。【選択図】図１
2007006444.tif 000002
【特許請求の範囲】
【請求項１】
メディア製作制御システムであって、
データを伝送する能力を有するインターネットに接続され、供給源データを生成する複数の入力ソースと、
前記インターネットに接続されて、前記供給源データを処理し、前記入力ソースからの供給源資料を管理する少なくとも一つのコアサーバと、出力データストリームを生成する少なくとも一つのストリーミングサーバと、からなる複数のサーバと、
前記入力ソースを管理すると共に、出力を生成するサーバソフトウェアプログラムと、
前記サーバソフトウェアと通信を実行するクライアントソフトウェアプログラムと、
からなることを特徴とするメディア製作制御システム。
【請求項２】
更に、前記コアサーバに連接される外部画像制御パネル、或いは、外部音声制御パネルを含むことを特徴とする請求項１に記載のメディア製作制御システム。
【請求項３】
前記サーバソフトウェアプログラムは、更に、
即時の方式で、メディアコンテンツに対し、コード化を実行するメディアコンテンツエンコーダーと、
複数の入力ソース中から、効果的な入力ソースを選択する多パネルユーザーインターフェイスと、
前記複数の入力ソースと通信を実行する複数のコラボレーションツールと、
からなることを特徴とする請求項１に記載のメディア製作制御システム。
【請求項４】
前記コラボレーションツールは、チャットルーム、共用ウェブブラザ、ストリーミングテキストデータ供給源、インスタント情報パッケージソフト、及び、共用ホワイトボードを含むことを特徴とする請求項３に記載のメディア製作制御システム。
【請求項５】
更に、複数のクライアントパッケージソフトウェアを含み、各クライアントパッケージソフトウェアは、
コンピュータと、
前記コンピュータに接続され、画像入力情報を生成する撮影ユニットと、
イヤフォンとマイクロフォンからなり、前記コンピュータにされて、操作者と通信を実行すると共に、音声入力データを生成するヘッドセットと、
前記クライアントソフトウェアプログラムと、
前記インターネットに接続されるインターネット装置と、
からなることを特徴とする請求項１に記載のメディア製作制御システム。
【請求項６】
前記インターネット装置は、モデム、インターネット接続ポート、IEEE８０２．１１（ｂ）ワイヤレスインターネット装置、８０２．１１（ｇ）ワイヤレスインターネット装置、及び、８０２．１１（ｈ）ワイヤレスインターネット装置、からなる群から選択されることを特徴とする請求項５に記載のメディア製作制御システム。
【請求項７】
前記クライアントソフトウェアプログラムは、
前記音声入力データと画像入力データ中から、入力ソースを生成するソース構築サブシステムと、
前記サーバソフトウェアプログラムのコラボレーションツールと相互作用するユーザーインターフェイスと、
前記インターネットに接続され、前記インターネット帯域幅を検出するインターネットプログラムと、
からなることを特徴とする請求項５に記載のメディア製作制御システム。
【請求項８】
前記ソース構築サブシステムは、インターネット’帯域幅により、前記入力ソースを調整することを特徴とする請求項７に記載のメディア製作制御システム。
【請求項９】
更に、
複数の入力データのユーザー電話機を記録するデジタル音声画像記録器と、
前記デジタル音声画像記録器を制御する記録ソフトウェアプログラムと、
前記記録済みの音声画像入力データ中に、注解を増設する元データ編集プログラムと、
からなることを特徴とする請求項１に記載のメディア製作制御システム。
【請求項１０】
複数の前記入力ソース中の各入力ソースは、固定電話、携帯電話、衛星携帯電話、ラジオ周波数ワイヤレス電話機、遠隔ニュース画像システム、衛星ニュース画像システム、及び、クライアントパッケージソフト等からなる群から選択されることを特徴とする請求項１に記載のメディア製作制御システム。
【発明の詳細な説明】
【技術分野】
【０００１】
本発明は、マルチメディア製作制御システムに関するものであって、特に、大量の異なる形態の供給源（feed）を受信するインタラクティブ取材とメディア製作システムで、会議システム、及び、共同ウェブブラウザとホワイトボードを特色とするものである。
【背景技術】
【０００２】
公知のテレビニュース製作には、通常、設備が整ったニュース編集室を必要とし、番組のキャスターの放送をサポートし、テレプロンプター装置により報道する。遠隔の記者は、サテライト・ニュース・ギャザリング（SNG）により、ある事件の現場中継の供給源を提供する時、ニュースの製作を、突如、高費用に、そして、複雑にする。この遠隔の記者は、ラジオ周波数連結により、報道をニュース編集室に伝送する。また、地方のニュース報道のために、実況中継の遠隔供給ユニット（remote feed unit）は、強大な発信機を有する高価な放送車を必要とする。
【０００３】
しかし、制作設備、遠隔供給ユニット、及び、製作スタッフの養成などの費用は非常に高く、限られたテレビニュース製作能力では、会社は基礎建設に投資することが多い。この遠隔供給ユニットの高価さ、複雑さは、提供できる遠隔供給ユニットの数量を制限し、少数の遠隔供給ユニットしかないので、ニュース製作者は、これらの不足するリソースを注意深く分配して、報道価値のある事件を逃さず、幅広くニュースを伝えなければならない。また、製作システムが少数の遠隔供給ユニットを設立する時、単純に、更に多くの遠隔供給ユニットを追加するのでは、実用的であるとは言えない。
【０００４】
よって、メディア製作制御システムを提供し、廉価な設備を多種携帯の遠隔供給ユニットとし、製作者に、大量の遠隔供給ユニットを管理しやすく、使用が容易である方式を提供することが必要とされている。
【発明の開示】
【発明が解決しようとする課題】
【０００５】
本発明は、メディア製作制御システムを提供し、複数のコラボレーションツール（collaboration tool）を有し、製作者に、遠隔供給ユニットとの間の通信を更に容易にすることを目的とする。
【０００６】
本発明は、メディア製作制御システムを提供し、各種異なる遠隔供給ユニットに連結できるので、廉価な新技術を使用するのを助け、且つ、高価な旧設備も使用することができ、小規模グループにもニュースが製作でき、大型メディア機構に依存する必要がないようにすることをもう一つの目的とする。
【課題を解決するための手段】
【０００７】
本発明のメディア製作制御システムは、組み込み式の取材と事実確認ツールを有し、多くのソースからの各種形式のニュース供給源を受信し、携帯に便利で、低価格であるという長所がある。このシステムは、製作者に、独立した供給源を選択、及び、排列させて、放送、或いは、制限つきの放送を可能にし、システムのソフト、或いは、外部の連接装置により実行する。共用のコミュニケーションツールは、ウェブブラウザ、インスタントメッセージングパッケージ、チャットルーム、ヘッドラインディスプレイ、及び、バーチャルホワイトボードを含む。
【発明の効果】
【０００８】
本発明のメディア製作制御システムは、複数のコラボレーションツールを有し、製作者に、遠隔供給ユニットとの間の通信を更に容易にし、また、各種異なる遠隔供給ユニットに連結できるので、廉価な新技術を使用するのを助け、且つ、高価な旧設備も使用することができ、小規模グループにもニュースが製作でき、大型メディア機構に依存する必要がない。
【発明を実施するための最良の形態】
【０００９】
以下、本発明の実施例について、図面を参照しながら説明する。
【実施例１】
【００１０】
図１は、本発明実施例のニュース製作システムを示す図であって、システム１００は、ソース１０１〜１０５からの多種のニュース供給で、インターネット１１０により、コアサーバ１２０、及び、ストリーミングサーバ１３０に連結され、且つ、安全性を考慮して、このニュース供給のパッケージソフトウェアは、バーチャルプライベートネットワーク（virtual private
network，VPN）技術により、随意にパスワードに暗号化する。インターネット１１０は、インターネット、或いは、内部ネットワークで、データは、TCP/IP、或いは、UDP/IPにより伝送される。コアサーバ１２０は、音声制御パネル１５０、及び、画像制御パネル１６０に接続され、信号の切り換え、減衰、音声、及び、色彩の調整能力を提供する。注意すべきことは、音声制御パネル１５０、及び、画像制御パネル１６０は、選択性のハードウェア設備であることである。これらの機能は、ソフトウェアにより実現し、これらのハードウェア設備から入力された機能は主に、提供が便利で、普通のインターフェースがユーザーに提供される。このシステムは、出力２００を製造し、放送（broadcast）、ウェブ放送（webcast）、及び／または、保存後使用するものである。
【００１１】
これらのソース１０１〜１０５は、各種形式の入力供給源を有し、供給源は、音声、音声画像のみ、画像、或いは、文字のみである。例を挙げると、音声供給源は、ラジオ周波数で、有線電話による電話、携帯電話、或いは、ボイスオーバーIP（VoIP）電話、或いは、有線接続、或いは、無線接続のマイクロフォンである。音声画像供給源は、インターネットカメラでインターネットコミュニケーションプロトコルによりデジタル音声画像信号を伝送するか、専用のニュースカメラは電磁波によりアナログ音声画像信号を伝送するか、人工衛星１８０により、基地局１８５に伝送する。画像供給源は、インターネットカメラで、インターネットコミュニケーションプロトコルにより、デジタル画像信号を伝送する。文字供給源は、表題目録で、汎用マークアップ言語規約（Standard Generalized
Markup Language， SGML）、拡張マークアップ言語（Extensible Markup Language）、RSS、ハイパーテキスト・マークアップ言語（HTML）、或いは、その他の文字に基づくコンピュータフォーマットである。
【００１２】
図１に加え、図２の本発明の実施例によるソフトウェアディスプレイパネル２００を示す図を参照すると、製作者は、複数のソース１０１〜１０５の入力供給源１０１F〜１０５Fから、一つの入力供給源を選択する能力を有することができ、その後、製作者は、制御パネル２５０により、選択した供給源上で操作を実行でき、例えば、それを出力供給源２００Fにしたり、或いは、デジタル・ビデオテープ・レコーダー（DVR）ツールにより記録したりできる。このDVRツールは、メタデータエディター（metadata editor）を有し、識別データを、すでに記録された音声画像データ中に増設する。この識別データは、時間、日時、報道者氏名、位置、内容描写、或いは、その他の必要情報である。一つのツール選択制御パネル２３０は、製作者が、使用できる共用のツール中から、コラボレーションツールを選択して使用できるようにする。これらの共用ツールは、ホワイトボード、ウェブブラウザ、チャットルーム、ニュース掲載欄、及び、インスタントメッセージツール２４０（現在は使用者にある）を含む。全ての接続は、全て、双方向で、製作者、或いは、ニュース番組キャスターは、供給源を提供する報道者と対話ができる。この製作者は、ファイルを、一つ、或いは、数個、全部のソースに伝送でき、例えば、毎日の開始任務を分配する。これらのアプリケーションプログラムは、遠隔リモコンソフトヴァーチャル・ネットワーク・コンピューティング（virtual network computing、VNC）により共用することができ、これらの機能性の低いソースは、コンピュータを使用してアプリケーションプログラムを強化したり、或いは、始めの管理の手間を減少させることができる。
【００１３】
これらのツールは、ソース端のクライアントソフトで見ることができ、ソース１０１〜１０５に現在注意する焦点事実確認（fact-checking）、或いは、共用ブラウザにより、ウェブ上での背景情報の収集、チャットルームで、展開中のニュース報道を討論（或いは、ただ、突発的事件発生時に生じる団体精神について語り合う）、ホワイトボードで絵を描く、計画を書く、ニュース掲載欄上の臨時ニュースの確認（一つの新しい場所で、ニュースを獲得する目的）、或いは、インスタントメッセージにより、短い内容を伝送するなどを通知しやすい。ソース１０１〜１０５が臨時ニュースを有する時、迅速に、インスタントメッセージツールを使用して、信号を発信し、製作者に伝達する。製作者は、選挙投票を手配する能力を有し、ソースに発言権をもたせ、情報制御パネル２２０により、ニュース報道の進度を放送する。注意すべきことは、図中に五個の供給源が示されているが、このスクリーンの区分は変更でき、画面格子中の数量変動可能な供給源を変更することができる。例えば、３対３格の供給源は、図中で示される５対１の画面を代替することができる。更に、例えば、この配置画面が過小の場合、全ての供給源を表示するため、スクロールバー（図示しない）が出現して、製作者がスクロールしながら、使用できる供給源全てを見ることができる。
【００１４】
図１に加え、図３の本発明の実施例による第二ソフトウェアディスプレイパネル３００を示す図を参照すると、この画面中、製作者は、現在の出力供給源２００Fを見ることができ、同時に、第二供給源３００F、及び、第三供給源３１０Fを見ることができて、これらの供給源への注意を維持することができる。番組がコーナーを切り換える、或いは、彼らのテレビ局中のニュースキャスターが、現地リポーターに切り換わるとき、供給源は、現在放送する輸出供給源２００Fとなる。これらの供給源と切り換えは、１．５秒以下の潜在因子を提供する。テレプロンプターツール（teleprompter tool）３５０は、もう一つのパネル上で使用でき、チャットルームツール３６０、及び、ニュース掲載欄ツール３７０を有する。
【００１５】
図４は、本発明の実施例による会議システムを示す図で、会議システム４００は、ソース４０２〜４０４からの複数のニュース供給源を受信し、例えば、会議司会者で、インターネット１１０により、コアサーバ１２０、及び、ストリーミングサーバ１３０に連結され、且つ、安全性を考慮して、供給源のパッケージソフトウェアは、バーチャルプライベートネットワーク技術により、随意にパスワードに暗号化する。システムは、出力を製作し、ネット上で、会議出席者４９０〜４９４に放送する。このアプリケーション中、コラボレーションツールは、出席者が会議司会者に質問できるようにするか、或いは、講演の記録、及び、その他の情報を会議司会者から、その他の出席者に表示するものである。このシステムは、商業会議、科学座談会、遠隔教育、インタラクティブゲーム放映、及び、各種のその他の用途に応用できる。この出力は記録でき、後の配信に用いられる。会議出席者４９０〜４９４は、双方向接続者で、彼らの会議への参加を便利にする。或いは、非双方向接続で、彼らに表示された画面を見ることだけができる。会議出席者４９０〜４９４は双方向で、クライアント端末のパッケージソフトウェアに接続されて、彼らが音声画像データ供給源を構築してこの会議に参加する機能を提供し、会議司会者に権限を与え、或いは、彼らが、制限付きのパッケージソフトを使用し、コラポレーションツールだけが提供でき、会議出席者はチャットルーム、及び、共用ブラウザにより、通信を実行する。
【００１６】
図５は、本発明中の一クライアントパッケージソフトウェアを供給源とする図で、このクライアントパッケージソフトウェア５００は、WLAN カードを有するノート型パソコン５１０有し、クライアントソフトウェア５３０の操作を実行する。インターネットカメラ５４０、及び、ヘッドセット（図示しない、このヘッドセットは、イヤフォンとマイクを有する）は、ニュース供給源１０１Fの音声と画像の部分を提供する。このクライアントパッケージソフトウェア５００は、携帯に便利で、どんな場所からでも、ニュース供給源１０１Fを伝送することができ、伝送時、WLANカードは、現存のワイヤレスネットワークに接続でき、その範囲は、大型ネットワーク、例えば、台北市のWiFlyTMシステム等、から、携帯DSLネットワーク、小型家庭用ワイヤレスネットワークまで、所有者が報道者に開放すればいい。例えば、ワイヤレスネットワークが使用できない場合、有線のブロードバンドネットワークを選択するか、或いは、モデムによりインターネットが可能である。このパッケージソフトは標準のものなので、報道者は、電話（携帯電話、VoIP、或いは、固定電話）により電話して、音声のみの供給源（或いは、ビデオ電話により伝送する音声増供給源）を提供するか、或いは、衛星中継車をニュース媒体とする。このシステムは、ニュース供給源のいかなる特定のソースの制限も受けず、公知技術が達成できなかった追加の選択を提供できる。このシステムソフトウェアは、比較的遅いネットワークにより、低い音声、或いは、画像品質を使用することができる。例えば、毎秒２３KbitsのG７２３音声信号で、毎秒１７６KbitsのPCM音声信号を代替するか、或いは、モデムにより接続される毎秒、フレームリレーする画像フレーム速度は、快速インターネットの毎秒、３０フレーム伝送する速度を代替する。帯域幅の検出と供給源の速度品質は、自動操作である。音声と画像は、多種異なる形式とコードフォーマットである。
【００１７】
これにより、ニュース製作制御システムは、劇的な変化をなし、制限のある公知技術の欠点を改善する。ノート型パソコン、インターネットカメラ、WLANカード等の少数の設備さえあれば、ニュース供給源をニュース製作者に伝送して、分配使用が可能であり、ニュースは、更に多くの地方で取材され、遠方からのニュースが多様化する。
【００１８】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００１９】
【図１】本発明の実施例によるニュース製作システムを示した説明図である。
【図２】本発明の実施例による制御パネルを示した説明図である。
【図３】本発明の実施例による第二ソフトウェアディスプレイパネルを示した説明図である。
【図４】本発明の実施例による会議システムを示した説明図である。
【図５】本発明の実施例によるクライアント遠隔システムを示した説明図である。
【符号の説明】
【００２０】
１００…ニュース製作システム
１０１〜１０５…ソース
１０１F〜１０５F…入力供給源
１１０…インターネット
１２０…コアサーバ
１３０…ストリーミングサーバ
１５０…音声制御パネル
１６０…画像制御パネル
１８０…人工衛星
１８５…基地局
２００…ソフトウェアディスプレイパネル（出力）
２００F…出力供給源
２２０…情報制御パネル
２３０…ツール選択制御パネル
２４０…インスタントメッセージツール
２５０…制御パネル
３００…第二ソフトウェアディスプレイパネル
３００F…第二供給源
３１０F…第三供給源
３５０…テレプロンプターツール
３６０…チャットルームツール
３７０…ニュース掲示欄ツール
４００…会議システム
４０２〜４０４…ソース
４９０〜４９４…会議出席者
５００…クライアントパッケージソフト
５１０…ノート型パソコン
５３０…クライアントソフト
５４０…インターネットカメラ
【図１】
2007006444.tif 000003
【図２】
2007006444.tif 000004
【図３】
2007006444.tif 000005
【図４】
2007006444.tif 000006
【図５】
2007006444.tif 000007